(57)【要約】  光路矯正により安定した観察画像を得ることができる光イメージング用プローブを提供する。  回転子１１を駆動回転させる回転駆動源１０と、回転子１１の回転中心側に軸方向へわたり挿通されて固定されるとともにその前端側に光を入射可能な第１のシングルモード光ファイバ３３と、第１のシングルモード光ファイバ３３の後方側に回転不能に支持された第２のシングルモード光ファイバ３４と、第１のシングルモード光ファイバ３３と第２のシングルモード光ファイバ３４との間に介在した隙間ｓ及び光路矯正手段３５とを備え、光路矯正手段３５が、一方のシングルモード光ファイバから伝達される光を、拡大しコリメート化して隙間ｓに通過させた後、他方のシングルモード光ファイバへ導くようにした。
2014115360.tif 000002
【特許請求の範囲】
【請求項１】
前端側に入射した光を後方へ導く光イメージング用プローブにおいて、
回転子を駆動回転させる回転駆動源と、
前記回転子の回転中心側に軸方向へわたり挿通されて固定されるとともにその前端側に光を入射可能な第１のシングルモード光ファイバと、
第１のシングルモード光ファイバの後方側に回転不能に支持された第２のシングルモード光ファイバと、
第１のシングルモード光ファイバと第２のシングルモード光ファイバとの間に介在した隙間及び光路矯正手段とを備え、
前記光路矯正手段が、一方の前記シングルモード光ファイバから伝達される光を、拡大しコリメート化して前記隙間に通過させた後、他方の前記シングルモード光ファイバへ導くようにしたことを特徴とする光イメージング用プローブ。
【請求項２】
前記光路矯正手段は、第１のシングルモード光ファイバに接続された第１の光路矯正手段と、第２のシングルモード光ファイバに接続された第２の光路矯正手段とを具備するとともに、これら二つの光路矯正手段の間に前記隙間を有することを特徴とする請求項１記載の光イメージング用プローブ。
【請求項３】
前記回転子の回転中心側に軸方向へわたって固定されるとともに端部側を前記回転子から軸方向へ突出させて回転可能に支持された管状回転軸を備え、この管状回転軸内に、前記第１のシングルモード光ファイバと前記第１の光路矯正手段の接続箇所を配置したことを特徴とする請求項２記載の光イメージング用プローブ。
【請求項４】
前記管状回転軸を回転可能に支持する軸受部材を備え、この軸受部材が、周方向の複数箇所で局部的に高い潤滑膜圧力を発生させる動圧軸受を構成していることを特徴とする請求項３記載の光イメージング用プローブ。
【請求項５】
第１のシングルモード光ファイバの前側に、第１のシングルモード光ファイバにより導かれる光の方向を前記軸方向に対する交差方向へ変換する光路変換素子を設けたことを特徴とする請求項４記載の光イメージング用プローブ。
【請求項６】
前記回転子を、４００ｒｐｍ以上３６００ｒｐｍ以下の回転数で連続回転するようにしたことを特徴とする請求項５記載の光イメージング用プローブ。
【発明の詳細な説明】
【技術分野】
【０００１】
本発明は、被検体で反射させた光を取り込んで観察するための光イメージング用プローブに関するものである。
【背景技術】
【０００２】
画像診断技術（光イメージング技術）は、装置機械・半導体・医療などのあらゆる現場において広く利用されている技術である。例えば、精密機器や半導体などの製造現場や医療現場において、一般的な顕微観察に加えて断層画像を撮影することが可能なＸ線ＣＴ、核磁気共鳴、超音波観察などがその一例として挙げられる。
近年、画像診断の手法に光の干渉性を利用したＯＣＴ（光干渉断層撮影）技術が注目されている。光源として波長１３００ｎｍ程度の近赤外線を用いることが多いが、近赤外線は生体に対して非侵襲性であり、また超音波よりも波長が短いために空間分解能に優れており、おおよそ１０〜２０μｍの識別が可能となることから、特に医療現場での活躍が期待されている。ＯＣＴ内視鏡の代表的な構造は、例えば、特許文献１に示されている通りである。【０００３】
ところで、特許文献１に示すＯＣＴ内視鏡では、モータの回転力を、ベルトを介して回転シャフトに伝達し、さらに光学シース内を通るフレキシブルシャフトを介してレンズユニットへ伝達するようにしている。そのため、光学シースの内周面とフレキシブルシャフトとの擦れにより摩耗紛が発生したり、フレキシブルシャフトの前記擦れや撓み、ねじれ、前記ベルトの弾性変形等に起因して、回転ムラや、回転伝達遅れ、トルク損失等を生じたり等するおそれがある。
また、前記のような問題点を解決する従来技術として、特許文献２に記載される発明では、光ファイバの前端部に対向するようにモータを配置し、このモータの回転軸の前端面に反射鏡を設けるようにしている。しかしながら、この発明では、前記モータの本体部が、前記反射鏡よりも前方側に位置するため、モータ用の給電配線が光ファイバ側へ折れ曲がったり、前記給電配線が前記反射鏡の側部に位置して、反射鏡によって反射された光を遮ってしまい、３６０度全周のうちの一部が影となり画角制限が生じてしまったり、反射鏡よりも前方側に突出する部分（モータ本体部を内在する部分）が、被検体に当接してしまい、プローブ軸方向の撮像範囲が制限されたり等する場合がある。また、前記モータを連続的に高速回転させた場合には、軸受部分の潤滑油膜圧の偏り等により、ジッター（回転角度が変動する現象）や、面倒れ（回転軸端面が傾く現象）、ホワール（回転軸が振れ回る現象）と呼称される回転ムラや軸振れ等生じるおそれがある。さらに、これらに起因する芯ずれ等により、光の伝達損失が増大する場合もある。
【先行技術文献】
【特許文献】
【０００４】
【特許文献１】特許第３８８５１１４号公報
【特許文献２】特許第４４６１２１６号公報
【発明の概要】
【発明が解決しようとする課題】
【０００５】
本発明は上記従来事情に鑑みてなされたものであり、その課題とする処は、回転伝達遅れやトルク損失等の発生を軽減すること、回転部分の回転ムラや軸振れ、擦れ、回転伝達遅れ、光の伝達損失を低減すること、３６０度全周のうちの一部が影となる画角制限を防ぐこと、プローブ周方向及び軸方向の撮像範囲が制限されるのを防ぐこと等によって、安定した観察画像を得ることができる光イメージング用プローブを提供することにある。
【課題を解決するための手段】
【０００６】
上記課題を解決するための一手段は、前端側に入射した光を後方へ導く光イメージング用プローブにおいて、
回転子を駆動回転させる回転駆動源と、
前記回転子の回転中心側に軸方向へわたり挿通されて固定されるとともにその前端側に光を入射可能な第１のシングルモード光ファイバと、第１のシングルモード光ファイバの後方側に回転不能に支持された第２のシングルモード光ファイバと、第１のシングルモード光ファイバと第２のシングルモード光ファイバとの間に介在した隙間及び光路矯正手段とを備え、前記光路矯正手段が、一方の前記シングルモード光ファイバから伝達される光を、拡大しコリメート化して前記隙間に通過させた後、他方の前記シングルモード光ファイバへ導くようにした。
【発明の効果】
【０００７】
本発明は、以上説明したように構成されているので、従来技術と比較し、安定した観察画像を得ることができる。
【図面の簡単な説明】
【０００８】
【図１】本発明に係る光イメージング用プローブの一例を示す断面図。
【図２】本発明に係る光イメージング用プローブの他例を示す断面図。
【図３】軸受部材の一例を示す拡大断面図。
【図４】二つのシングルモード光ファイバ間の接続態様の一例を示す拡大断面図。
【図５】二つのシングルモード光ファイバ間の接続態様の他例を示す拡大断面図。
【図６】二つのシングルモード光ファイバ間の接続態様の他例を示す拡大断面図。
【図７】本実施の形態の軸受構造における潤滑膜圧力の分布を示す模式図。
【図８】真円の軸受部材を用いた場合における潤滑膜圧力の分布を示す模式図。
【発明を実施するための形態】
【０００９】
本実施の形態における第１の特徴は、前端側に入射した光を後方へ導く光イメージング用プローブにおいて、回転子を駆動回転させる回転駆動源と、前記回転子の回転中心側に軸方向へわたり挿通されて固定されるとともにその前端側に光を入射可能な第１のシングルモード光ファイバと、第１のシングルモード光ファイバの後方側に回転不能に支持された第２のシングルモード光ファイバと、第１のシングルモード光ファイバと第２のシングルモード光ファイバとの間に介在した隙間及び光路矯正手段とを備え、前記光路矯正手段が、一方の前記シングルモード光ファイバから伝達される光を、拡大しコリメート化して前記隙間に通過させた後、他方の前記シングルモード光ファイバへ導くようにした（図１〜６参照）。
この構成によれば、一方のシングルモード光ファイバから出射される光が、拡大されコリメート化されて他方のシングルモード光ファイバへ導かれるため、一方のシングルモード光ファイバと他方のシングルモード光ファイバとの中心のずれが生じた場合でも、互いのシングルモード光ファイバ間の光の伝達損失を低減することができる。
【００１０】
第２の特徴としては、前記第１の特徴に加えて、前記光路矯正手段は、第１のシングルモード光ファイバに接続された第１の光路矯正手段と、第２のシングルモード光ファイバに接続された第２の光路矯正手段とを具備するとともに、これら二つの光路矯正手段の間に前記隙間を有する（図１〜４参照）。
この構成によれば、一方の光路矯正手段と、他方の光路矯正手段との間の隙間を通過する光が、拡大されコリメート化された比較的太い光となるため、一方の光路矯正手段と他方の光路矯正手段との中心のずれが生じた場合でも、光の伝達損失を低減することができる。
【００１１】
第３の特徴としては、前記第２の特徴に加えて、前記回転子の回転中心側に軸方向へわたって固定されるとともに端部側を前記回転子から軸方向へ突出させて回転可能に支持された管状回転軸を備え、この管状回転軸内に、第１のシングルモード光ファイバと第１の光路矯正手段の接続箇所を配置した（図１〜４参照）。
この構成によれば、第１のシングルモード光ファイバと第１の光路矯正手段の接続箇所の芯ずれを軽減できる上、これら接続箇所を管状回転軸によって補強することができる。
【００１２】
第４の特徴としては、前記第３の特徴に加えて、前記管状回転軸を回転可能に支持する軸受部材を備え、この軸受部材が、周方向の複数箇所で局部的に高い潤滑膜圧力を発生させる動圧軸受を構成している（図３参照）。
この構成によれば、軸受部材によって、周方向の複数箇所で局部的に高い潤滑膜圧力を発生させる動圧軸受を構成しているため、軸受部分の潤滑油膜圧を周方向に分散して、回転部分の回転ムラや軸振れ等を軽減することができる。従って、互いのシングルモード光ファイバ間の光伝達損失を、より低減することができる。
【００１３】
第５の特徴としては、前記第１〜４何れかの特徴に加えて、第１のシングルモード光ファイバの前側に、第１のシングルモード光ファイバにより導かれる光の方向を前記軸方向に対する交差方向へ変換する光路変換素子を設けた（図１〜２参照）。
この構成によれば、プローブ外周の角度３６０°の範囲において、安定した観察画像を得ることができる。
【００１４】
第６の特徴としては、前記第１〜５何れかの特徴に加えて、前記回転子を、４００ｒｐｍ以上３６００ｒｐｍ以下の回転数で連続回転するようにした。
この構成によれば、回転子を連続的に高速回転させた際に生じる回転ムラや軸振れ等に起因して、一方のシングルモード光ファイバと他方のシングルモード光ファイバとの中心のずれが生じた場合でも、これらの間に介在する光路矯正手段によって、光の伝達損失を効果的に低減することができる。
【００１５】
また、他の特徴としては、前記管状回転軸を軸方向の両側で支持するように前記軸受部材を複数設け、これら複数の軸受部材のうち、少なくとも最も前記隙間寄りに位置する軸受部材によって前記動圧軸受を構成した。
この構成によれば、一方のシングルモード光ファイバに対し、他方のシングルモード光ファイバが芯ずれするのを、隙間寄りに位置する動圧軸受により効果的に抑制することができる。
【００１６】
また、他の特徴としては、前記光路変換素子と第１のシングルモード光ファイバの前端との間に、第１のシングルモード光ファイバから前方へ放出される光を集束する光集束手段を備える（図１〜３参照）。
この構成によれば、第１のシングルモード光ファイバから前方へ放出される光を集束して、被検体を効果的に照射することができる。
【００１７】
次に、上記特徴を有する本実施の形態の好ましい具体例を、図面に基づいて詳細に説明する。
【実施例１】
【００１８】
図１は、本発明に係る光イメージング用プローブの実施例１を示す。
この光イメージング用プローブは、回転子１１を駆動回転させる回転駆動源１０と、回転子１１の回転中心側に軸方向へわたって挿通され固定された管状回転軸２３と、管状回転軸２３に挿通されるとともにその前端側に光を入射可能な第１のシングルモード光ファイバ３３と、第１のシングルモード光ファイバ３３の後方側に回転不能に支持された第２のシングルモード光ファイバ３４と、第１のシングルモード光ファイバ３３と第２のシングルモード光ファイバ３４との間に介在した隙間ｓ及び光路矯正手段３５ｃ（図５参照）と、管状回転軸２３を回転可能に支持する軸受部材４１，４２と、第１のシングルモード光ファイバ３３から前方へ放出される光を集束する光集束手段５１と、光集束手段５１の前側で第１のシングルモード光ファイバ３３により導かれる光の方向を管状回転軸２３の軸方向に対する交差方向へ変換する光路変換素子６３とを備える。【００１９】
回転駆動源１０は、回転自在な回転子１１と、該回転子１１の周囲を覆う電磁コイル１２と、この電磁コイル１２の周囲を覆う円筒状の前側ハウジング１３（固定子）と、電磁コイル１２への給電を行う基板１４等を具備したインナーロータタイプの電動モータであり（図１参照）、所定の回転数で連続回転するように制御されている。【００２０】
回転子１１は、永久磁石を有する円筒状に構成され、電磁コイル１２との間の磁気作用によって連続回転する。【００２１】
電磁コイル１２は、回転子１１の外周面に対し所定のクリアランスを置いて略円筒状に設けられ、前側ハウジング１３（固定子）の内周面に回転不能に固定されている。【００２２】
基板１４は、電磁コイル１２の後端面に略環状に固定されており、給電配線１４ａから供給される制御電流を電磁コイル１２へ供給する。
給電配線１４ａは、後述する軸受部材４１，接続部材８６及びホルダー８４に形成された切欠状の貫通部１４ｂを通って後方へ導かれ、さらに長尺円筒状のシース７０内を通って、ＯＣＴ装置内の制御回路に接続される。なお、貫通部１４ｂは貫通孔とすることも可能である。【００２３】
前側ハウジング１３（固定子）は、磁性材料（例えばパーマロイ等）から円筒状に形成され、電磁コイル１２によって生じる電磁力を強めるように作用する。
この前側ハウジング１３の前端側と後端側には、軸受部材４１，４２が支持される。また、前側ハウジング１３及び軸受部材４１の後端側には、接続部材８６を介して、前側ハウジング１３と略同径で筒状の後側ハウジング８２が接続され、この後側ハウジング８２の最後端部にはシース７０が接続される。【００２４】
接続部材８６は、前側ハウジング１３及び軸受部材４１の後端側を、後側ハウジング８２に接続している。この接続部材８６は、軸心側に管状回転軸２３を回転可能に挿通するとともに外周側の切欠に給電配線１４ａを挿通した略円柱状の部材であり、外周面から径外方向へ突出する縁部８６ａを円筒状の前側ハウジング１３と後側ハウジング８２の間に挟み且つ後側ハウジング８２の内周面の内周面に嵌合することで回転不能に固定される。【００２５】
後側ハウジング８２は、接続部材８６の後部側の外周面に嵌め合せられた略円筒状の部材であり、その後端側の長尺円筒状のシース７０に連通している。【００２６】
また、管状回転軸２３は、金属等の硬質材料からなる長尺円筒状の部材であり、回転子１１の回転中心側に挿通されて固定されるとともに、その前後端側の部分を、それぞれ、回転子１１の軸方向端面から突出させている。
この管状回転軸２３の後端側は、後側の軸受部材４１により回転自在に支持され、同管状回転軸２３の前端側は、前側の軸受部材４２により回転自在に支持されるとともに軸受部材４２よりも前方へ突出している。
そして、この管状回転軸２３内には、その前側に第１のシングルモード光ファイバ３３が挿入され固定され、後側には第１の光路矯正手段３５ａが挿入され固定されている。【００２７】
軸受部材４１，４２は、それぞれ、周方向の複数箇所で局部的に高い潤滑膜圧力を発生させる動圧軸受を構成している。
各軸受部材４１，４２は、例えば、青銅や焼結金属等、耐摩耗性の良好な硬質材料から略円筒状に形成され、その内周側に、潤滑油を介在して、管状回転軸２３を挿通するとともに回転自在に支持している。
各軸受部材４１，４２の内周面には、図３に示すように、周方向に所定間隔を置いて、軸方向へわたる複数の溝４１ａが形成される。各溝４１ａは、軸受部材４１，４２の軸方向の一端から他端まで連続している。【００２８】
複数の溝４１ａは、各軸受部材４１，４２と管状回転軸２３の間に介在する潤滑油膜の圧力（潤滑膜圧力と称する）を、周方向へ分散するように作用する。
すなわち、仮に、溝４１ａのない真円の軸受部材を用いた場合には、図８に示すように、該軸受部材の内周面において、周方向の一部分に潤滑膜圧力ｐが偏って局部的に高くなり、これに起因して、ジッター（回転角度が変動する現象）や、面倒れ（回転軸端面が傾く現象）、ホワール（回転軸が振れ回る現象）と呼称される回転ムラや軸振れ等を生じ易い。
しかしながら、本実施の形態の軸受部材４１，４２によれば、図７に示すように、潤滑膜圧力ｐは、周方向において溝４１ａに対応する複数箇所に分散され、各溝４１ａの近傍で高くなる。このため、ジッターや面倒れ、ホワール等の発生を著しく軽減することができる。【００２９】
なお、図７は、本発明に係る軸受構造を模式的に示すものであり、周方向に隣り合う溝４１ａ，４１ａの深さが異なっているが、本実施の形態の好ましい一例では、複数の溝４１ａの深さを同一に設定している。これら溝４１ａの深さや幅、本数は、ジッターや面倒れ、ホワール等の発生を効果的に低減するように適宜に設定される。図示例の軸受部材４１は、好ましい一例として、溝４１ａの数を等間隔置きに四つとしているが、他の好ましい一例としては、等間隔置きに八つとしてもよい。
本実施の形態の一例によれば、軸受内径又は軸外形寸法は０．３ｍｍ〜１．０ｍｍ程度であり、半径方向の隙間は１マイクロメータ〜３マイクロメータの範囲に設計している。
また、本実施の形態の一例によれば、溝４１ａは、軸の回転方向が正逆のいずれの方向の場合にも同様の性能を出す目的により軸と平行に（即ち潤滑流体が回転流動する方向に対しては９０度の角度に）設けているが、回転方向が一方向に既定される場合には軸に対して適宜角度を設けてもよく、いずれも良好な性能を得ることができる。
また、本願発明者による実験結果では、溝４１aを４本〜１６本の範囲とし、その深さを１マイクロメータ〜数マイクロメータの範囲に設計する事で好ましい性能を得ており、これら範囲を外れる場合には回転振れや振れ回りが生じて光学的性能を劣化させてしまう危険性が生じる事を確認している。【００３０】
後側の軸受部材４１は、前側ハウジング１３の内周面に嵌め合わされ、その軸心側に、管状回転軸２３を挿通して回転自在に支持し、後部側の外周面に接続部材８６を嵌合している。
また、前側の軸受部材４２は、前側ハウジング１３の前端側の内周面に嵌め合わされ、その軸心側に、管状回転軸２３を挿通して回転自在に支持している。【００３１】
また、第１のシングルモード光ファイバ３３は、中心側のコアとその外周を覆うクラッドとからなる。この第１のシングルモード光ファイバ３３は、管状回転軸２３よりも若干短く形成され、その前端を管状回転軸２３の前端と略面一にして、管状回転軸２３内の前寄りに挿通される。この第１のシングルモード光ファイバ３３は、その外周面を、軸方向の略全長及び略全周にわたって、管状回転軸２３の内周面に接触しており、管状回転軸２３と一体的に回転する。【００３２】
第２のシングルモード光ファイバ３４は、光路矯正手段３５及び隙間ｓを間において、第１のシングルモード光ファイバ３３の後方側に同軸状に配設されるとともに、回転不能に支持されている。
この第２のシングルモード光ファイバ３４は、第１のシングルモード光ファイバ３３同様に、中心側のコアとその外周を覆うクラッドとからなり、前端側の一部分を除く後部側は保護被覆３４ａによって覆われる。この第２のシングルモード光ファイバ３４の後部側は、シース７０内に挿通されてＯＣＴ装置に接続されている。【００３３】
光路矯正手段３５は、一方のシングルモード光ファイバ３３（又は３４）から伝達される光を、拡大しコリメート化して隙間ｓに通過させた後、集束して、他方のシングルモード光ファイバ３４（又は３３）へ導くように構成される。
図４に示す一例について、詳細に説明すれば、この光路矯正手段３５は、第１のシングルモード光ファイバ３３に接続された第１の光路矯正手段３５ａと、第２のシングルモード光ファイバ３４に接続された第２の光路矯正手段３５ｂとからなるとともに、これら二つの光路矯正手段３５ａ，３５ｂの間に前記隙間ｓを有する。【００３４】
第１の光路矯正手段３５ａは、第１のシングルモード光ファイバ３３から後方へ導かれる光を拡大しコリメート化するグレーデッドインデックス光ファイバである。
この第１の光路矯正手段３５ａは、その後端部が管状回転軸２３の後端部と略面一になるように、管状回転軸２３の後端側に挿入され、管状回転軸２３内で第１のシングルモード光ファイバ３３の後端部に同軸状に接続される。
第１の光路矯正手段３５ａを第１のシングルモード光ファイバ３３に接続する手段は溶着とすればよいが、他例としては、これら第１の光路矯正手段３５ａと第１のシングルモード光ファイバ３３を軸方向に圧接した構成とすることも可能である。【００３５】
また、第２の光路矯正手段３５ｂは、第２のシングルモード光ファイバ３４から前方へ出射される光を拡大しコリメート化するグレーデッドインデックス光ファイバである。
第２の光路矯正手段３５ｂを第２のシングルモード光ファイバ３４に接続する手段は溶着とすればよいが、他例としては、これら第２の光路矯正手段３５ｂと第２のシングルモード光ファイバ３４を軸方向に圧接した構成とすることも可能である。【００３６】
第１及び第２の光路矯正手段３５ａ，３５ｂとして用いるグレーデッドインデックス光ファイバは、第１又は第２のシングルモード光ファイバ３３，３４から出射される光を拡大し略平行な比較的太い光にするように適宜な長さに形成され、例えば、コア内を伝播する光の蛇行周囲の４分の１、あるいはその奇数倍に相当する長さに形成される。
なお、第１及び第２の光路矯正手段３５ａ，３５ｂの他例としては、ＧＲＩＮレンズ（屈折率分布レンズ）や、他のレンズ等とすることも可能である。【００３７】
第２の光路矯正手段３５ｂは、筒状保持部材８３及びホルダー８４を介して、後側ハウジング８２の内周面に対し、回転不能に固定される（図１参照）。【００３８】
筒状保持部材８３は、第２の光路矯正手段３５ｂを全長にわたって覆うとともに第２のシングルモード光ファイバ３４の前端部を挿入する円筒状の部材である。
この筒状保持部材８３の内周面は、第２の光路矯正手段３５ｂの外周面に接触し、第２の光路矯正手段３５ｂを回転不能に保持している（図１参照）。【００３９】
ホルダー８４は、外周側の一部分に給電配線１４ａを通過させる切欠を有する筒状の部材であり、その中心部の前側に筒状保持部材８３を挿通し固定するとともに、その後側には第２のシングルモード光ファイバ３４の保護被覆３４ａを挿通し固定している（図１参照）。【００４０】
前記のようにして、第１の光路矯正手段３５ａと第２の光路矯正手段３５ｂとの間には、隙間ｓが確保されるため、第１の光路矯正手段３５ａは、自在に回転することが可能である。
隙間ｓの幅寸法は、第１の光路矯正手段３５ａと第２の光路矯正手段３５ｂの間で、光の伝達が効率的に行われるように適宜に設定される。【００４１】
なお、図１中、符号８５は、管状回転軸２３の後端側の外周面に固定された位置決め部材である。この位置決め部材８５は、後側の軸受部材４１とホルダー８４の間に位置し、管状回転軸２３の前方への移動を軸受部材４１との当接により規制し、同管状回転軸２３の後方への移動をホルダー８４との当接により規制する。【００４２】
そして、管状回転軸２３における前側の軸受部材４１から前方へ突出した部分には、支持ブラケット６４を介して光集束手段５１が同軸状に固定され、さらに光集束手段５１の前端には光路変換素子６３が同軸状に固定される（図１参照）。【００４３】
支持ブラケット６４は、管状回転軸２３の前端側に略同軸状に接続された円筒状の部材であり、その後端側に管状回転軸２３の前端を挿入し固定するとともに、前端側には、後述する光集束手段５１の後端を挿入し固定している。【００４４】
光集束手段５１は、光路変換素子６３と第１のシングルモード光ファイバ３３の前端との間に位置するとともに、第１のシングルモード光ファイバ３３から前方へ隙間を置いて配置され（図１参照）、第１のシングルモード光ファイバ３３から前方へ放出される光を集束する。
この光集束手段５１は、図示例によれば、略円柱状のＧＲＩＮレンズ（屈折率分布レンズ）としているが、他例としては、適宜長さのグレーデッドインデックス光ファイバや、円柱以外の形状のレンズ等に置換することが可能である。【００４５】
光路変換素子６３は、第１のシングルモード光ファイバ３３に導かれて前方へ放出され光集束手段５１によって集束された光の方向を、第１のシングルモード光ファイバ３３の軸方向に対する交差方向へ変換するプリズムである。図示例によれば、この光路変換素子６３から放出される光は、直交方向よりも若干前方に傾いた方向へ導かれる（図１の２点鎖線参照）。【００４６】
次に上述した図１の光イメージング用プローブについて、その特徴的な作用効果を詳細に説明する。
先ず、給電配線１４ａにより回転駆動源１０へ電力が供給されると、回転駆動源１０は、回転子１１、管状回転軸２３、第１のシングルモード光ファイバ３３、第１の光路矯正手段３５ａ、支持ブラケット６４、光集束手段５１及び光路変換素子６３等を、連続的に高速回転する。この際の回転速度は、０〜３６００ｒｐｍの範囲内で調整可能であり、好ましくは軸受部分において管状回転軸２３が潤滑油中に浮揚するように、４００ｒｐｍ以上３６００ｒｐｍ以内に設定され、特に好ましい本実施の形態によれば約１８００ｒｐｍに設定される。【００４７】
そして、ＯＣＴ装置から第２のシングルモード光ファイバ３４の基端部に光（詳細には近赤外線光）が供給されると、該光は、第２のシングルモード光ファイバ３４内を通り、該第２のシングルモード光ファイバ３４前端から第２の光路矯正手段３５ｂに伝達され、該第２の光路矯正手段３５ｂから隙間ｓを介して第１の光路矯正手段３５ａに伝達され、さらに第１の光路矯正手段３５ａから第１のシングルモード光ファイバ３３へ伝達される。
この光の伝達について詳細に説明すれば、第２のシングルモード光ファイバ３４から第２の光路矯正手段３５ｂに伝達された光は、第２の光路矯正手段３５ｂ内で拡大されコリメート化されることで、比較的太い略平行な光束となって隙間ｓを通過し、第１の光路矯正手段３５ａの後端に入射される。そして、入射された光は、第１の光路矯正手段３５ａ内で集束されて第１のシングルモード光ファイバ３３に伝達される。【００４８】
そして、第１のシングルモード光ファイバ３３内を前方へ進んだ光は、第１のシングルモード光ファイバ３３の前端から前方へ放出され、光集束手段５１に入射し、光集束手段５１内で集束されて光路変換素子６３に伝達し、光路変換素子６３によって交差方向へ方向変換されて被検体に照射される。
また、被検体により反射した光は、前記と逆の経路を通り、先ず光路変換素子６３に入射して方向変換された後、光集束手段５１、第１のシングルモード光ファイバ３３、第１の光路矯正手段３５ａ、第２の光路矯正手段３５ｂ、第２のシングルモード光ファイバ３４により後方へ伝達されてＯＣＴ装置に戻される。ＯＣＴ装置は、戻された反射光を解析して、当該光イメージング用プローブの前端側の周囲３６０度の範囲をリアルタイムに画像化する。【００４９】
前記のようにして、光路変換素子６３等を回転させる際、従来のフレキシブルシャフト等を介することなく、回転子１１の回転力が、剛体である管状回転軸２３を介して光路変換素子６３に伝達されるため、回転伝達遅れやトルク損失等の発生を軽減することができる。しかも、軸受部材４１，４２によって、周方向の複数箇所で局部的に高い潤滑膜圧力を発生させる動圧軸受を構成しているため、軸受部分の潤滑油膜圧を周方向に分散して、回転部分の回転ムラや軸振れ等を軽減することができる。
その上、仮に若干の軸振れ等が生じたとしても、第１の光路矯正手段３５ａと第２の光路矯正手段３５ｂの間では、光が拡大されコリメート化されて伝達されるため、光の伝達損失を低減することができる。
よって、これらの結果として、安定した観察画像を得ることができる。
また、光路変換素子６３よりも前方側に、回転駆動源等の主要な構成を配置しない構造としているため、給電配線１４ａの取り回しを簡素化できる上、給電配線１４ａによってプローブ周方向の撮像範囲が制限されたり、前方への移動が制限されたり等するのを防ぐことができる。
【実施例２】
【００５０】
次に、本発明に係る光イメージング用プローブの実施例２について説明する（図２参照）。【００５１】
図２に示す光イメージング用プローブは、図１に示す光イメージング用プローブに対し、回転駆動源１０外径を、支持ブラケット６４の外径と略同径になるように小さくしたものであり、基本的な構造は図１のものと同一である。
図２中、符号２４は、図１のものより細く形成された管状回転軸２３を支持ブラケット６４に接続するための環状スペーサである。
また、図２では、給電配線の図示を省略しているが、給電配線は、周方向に約９０度ずれた位置を通っており、図２のものと同様に切欠およびシース７０内を通って、基板１４からＯＣＴ装置へわたっている。【００５２】
よって、図２に示す光イメージング用プローブによれば、図１のものと同様に、光路変換素子６３等を回転させる際、従来のフレキシブルシャフト等を介することなく、回転子１１の回転力が、剛体である管状回転軸２３を介して光路変換素子６３に伝達されるため、回転伝達遅れやトルク損失等の発生を軽減することができる。しかも、軸受部材４１，４２によって、周方向の複数箇所で局部的に高い潤滑膜圧力を発生させる動圧軸受を構成しているため、軸受部分の潤滑油膜圧を周方向に分散して、回転部分の回転ムラや軸振れ等を軽減することができる。
その上、仮に若干の軸振れ等が生じたとしても、第１の光路矯正手段３５ａと第２の光路矯正手段３５ｂの間では、光が拡大されコリメート化されて伝達されるため、光の伝達損失を低減することができる。
よって、これらの結果として、安定した観察画像を得ることができる。
また、光路変換素子６３よりも前方側に、回転駆動源等の主要な構成を配置しない構造としているため、給電配線の取り回しを簡素化できる上、給電配線によってプローブ周方向の撮像範囲が制限されたり、前方への移動が制限されたり等するのを防ぐことができる。【００５３】
なお、図１及び図２に示す光イメージング用プローブは、第１のシングルモード光ファイバ３３と第２のシングルモード光ファイバ３４の好ましい接続構造として、二つの光路矯正手段３５ａ，３５ｂを具備した構成としたが、他例としては、図５や図６に示す態様のように単一の光路矯正手段３５ｃを具備した構成とすることも可能である。
詳細に説明すれば、図５に示す態様では、第１のシングルモード光ファイバ３３と第２のシングルモード光ファイバ３４の間に、単一の光路矯正手段３５ｃを配置し、この光路矯正手段３５ｃと第１のシングルモード光ファイバ３３の間、および同光路矯正手段３５ｃと第２のシングルモード光ファイバ３４の間に、それぞれ隙間ｓを設けている。
また、図６に示す態様では、第１のシングルモード光ファイバ３３と第２のシングルモード光ファイバ３４の間に、単一の光路矯正手段３５ｃを配置し、この光路矯正手段３５ｃと第１のシングルモード光ファイバ３３の間に隙間ｓを設け、および同光路矯正手段３５ｃと第２のシングルモード光ファイバ３４を接触させて接続している。
図５及び図６に示す態様において、光路矯正手段３５ｃの長さや、隙間ｓの幅寸法は、光路矯正手段３５から放出される光を拡径しコリメート化して、芯振れを生じた場合の光の伝達損失を軽減するように適宜に設定される。【００５４】
また、図１〜図２に示す光イメージング用プローブでは、軸受部材４１，４２として、周方向に間隔を置いて複数の溝４１ａを有する動圧軸受（非真円動圧軸受や多円弧軸受と呼称される場合もある）を用いたが、この軸受部材４１，４２は、周方向の複数箇所で局部的に高い潤滑膜圧力を発生させる動圧軸受であればよく、例えば、軸側に周方向に間隔を置いた複数の溝を有する態様や、周方向に分割された複数の円弧状部材を略円筒状に組み合わせてなる態様（セグメント軸受と称する場合もある）や、その他の動圧軸受を用いることが可能である。ただし、この軸受部材４１，４２に、真円軸受は含まないものとする。【００５５】
また、図１〜図２に示す光イメージング用プローブでは、前後の軸受部材４１，４２の双方を前記動圧軸受として構成したが、他例としては、その何れか一方のみを前記動圧軸受として構成し、他方を真円軸受を含む他の軸受により構成することも可能である。この場合、芯ずれを軽減する観点より、光路矯正手段３５寄り側の軸受部材４１を前記動圧軸受とするのが好ましい。【００５６】
また、図１〜図２に示す光イメージング用プローブでは、好ましい態様として、管状回転軸２３両側を軸受部材４１，４２によって支持するようにしたが、他例としては、管状回転軸２３の片側を、一方の軸受部材４１（又は４２）のみによって片持ち梁状に支持することも可能である。この場合、芯ずれを軽減する観点より、光路矯正手段３５寄り側の軸受部材４１を支持するのが好ましい。【００５７】
また、図１〜図２に示す光イメージング用プローブは、特に、高速で連続回転させた場合に軸振れや光伝達損失を軽減する効果を顕著に有するが、他例としては、この光イメージング用プローブを、低速回転や断続回転で用いることも可能である。【００５８】
また、図１〜図２に示す光イメージング用プローブでは、当該光イメージング用プローブの前端側から放出される光を被検体に反射させ、その反射光を取り込んでＯＣＴ装置へ伝達する構成（双方通行の構成）としたが、他例としては、当該光イメージング用プローブとは別体の光源による反射光を取り込んでＯＣＴ装置へ伝達する構成（一方通行の構成）とすることも可能である。【００５９】
なお、本実施の形態に適用できる軸受構造は適用設計範囲が存在する。すなわち、低回転損失で軽く回転する事が不可欠であり、むやみに高粘度な潤滑流体を用いたり、極度に高剛性な軸受設計を行うとモータの出力が不足し、モータの角速度精度を損ねてジッターを増大する場合がある。その逆に、動圧軸受は、極度に低剛性に設計すると４００ｒｐｍの回転数でも動圧の発生が不足し軸振れが多くて性能を損ねる場合がある。また、この様な低剛性な軸受は、回転数が３６００ｒｐｍを超えると回転ユニットから生じる遠心力（回転数の２乗に比例して増加）によっても振れが多くなり性能を損ねるおそれがある。
本願発明者は、回転速度を４００ｒｐｍ以上３６００ｒｐｍ以内に設定することで光学機器として良好な性能を得る事を実験的に確認している。
【符号の説明】
【００６０】
１０：回転駆動源
１１：回転子
１２：電磁コイル
１３：前側ハウジング
２３：管状回転軸
３３：第１のシングルモード光ファイバ
３４：第２のシングルモード光ファイバ
３５：光路矯正手段
３５ａ：第１の光路矯正手段
３５ｂ：第２の光路矯正手段
３５ｃ：光路矯正手段
４１，４２：軸受部材
５１：光集束手段
６３：光路変換素子
【図１】
2014115360.tif 000003
【図２】
2014115360.tif 000004
【図３】
2014115360.tif 000005
【図４】
2014115360.tif 000006
【図５】
2014115360.tif 000007
【図６】
2014115360.tif 000008
【図７】
2014115360.tif 000009
【図８】
2014115360.tif 000010
【手続補正書】
【提出日】平成27年6月9日(2015.6.9)
【手続補正１】
【補正対象書類名】特許請求の範囲
【補正対象項目名】全文
【補正方法】変更
【補正の内容】
【特許請求の範囲】
【請求項１】
前端側に入射した光を後方へ導く光イメージング用プローブにおいて、
回転子を駆動回転させる回転駆動源と、
前記回転子の回転中心側に軸方向へわたって挿通され固定されされるとともに前記回転子から軸方向の両側へ突出した管状回転軸と、
前記管状回転軸の回転中心側に軸方向へわたり挿通されて固定されるとともにその前端側に光を入射可能な第１のシングルモード光ファイバと、
第１のシングルモード光ファイバの後方側に回転不能に支持された第２のシングルモード光ファイバと、
第１のシングルモード光ファイバと第２のシングルモード光ファイバとの間に介在した隙間及び光路矯正手段とを備え、
前記光路矯正手段が、一方の前記シングルモード光ファイバから伝達される光を、拡大しコリメート化して前記隙間に通過させた後、他方の前記シングルモード光ファイバへ導くようにしたことを特徴とする光イメージング用プローブ。
【請求項２】
前記回転子から軸方向の両側へ突出する前記管状回転軸の両端側部分をそれぞれ支持するように、軸受部材を二つ設けたことを特徴とする請求項１記載の光イメージング用プローブ。
【請求項３】
前記管状回転軸を、前記両端側部分にわたって同径の円筒状に形成したことを特徴とする請求項２記載の光イメージング用プローブ。
【請求項４】
前記管状回転軸の周囲を覆う円筒状のハウジングを備え、このハウジング内の両端側に、前記二つの軸受部材をそれぞれ嵌め合せたことを特徴とする請求項２又は３記載の光イメージング用プローブ。
【請求項５】
前記ハウジングを、可撓性を有する長尺筒状のシースに接続したことを特徴とする請求項４記載の光イメージング用プローブ。
【請求項６】
二つの前記軸受部材のうち、少なくとも最も前記隙間寄りに位置する軸受部材が、周方向の複数箇所で局部的に高い潤滑膜圧力を発生させる動圧軸受を構成していることを特徴とする請求項２〜５何れか１項記載の光イメージング用プローブ。
【請求項７】
前記光路矯正手段は、第１のシングルモード光ファイバに接続された第１の光路矯正手段と、第２のシングルモード光ファイバに接続された第２の光路矯正手段とを具備するとともに、これら二つの光路矯正手段の間に前記隙間を有することを特徴とする請求項１〜６何れか１項記載の光イメージング用プローブ。
【請求項８】
前記管状回転軸内に、前記第１のシングルモード光ファイバと前記第１の光路矯正手段の接続箇所を配置したことを特徴とする請求項１〜７何れか１項記載の光イメージング用プローブ。
【請求項９】
第１のシングルモード光ファイバの前側に、第１のシングルモード光ファイバにより導かれる光の方向を前記軸方向に対する交差方向へ変換する光路変換素子を設けたことを特徴とする請求項１〜８何れか１項記載の光イメージング用プローブ。
【請求項１０】
前記回転子及び前記管状回転軸を、４００ｒｐｍ以上３６００ｒｐｍ以下の回転数で連続回転するようにしたことを特徴とする請求項１〜９何れか１項記載の光イメージング用プローブ。
【手続補正２】
【補正対象書類名】明細書
【補正対象項目名】０００６
【補正方法】変更
【補正の内容】
【０００６】
上記課題を解決するための一手段は、前端側に入射した光を後方へ導く光イメージング用プローブにおいて、回転子を駆動回転させる回転駆動源と、前記回転子の回転中心側に軸方向へわたって挿通され固定されされるとともに前記回転子から軸方向の両側へ突出した管状回転軸と、前記管状回転軸の回転中心側に軸方向へわたり挿通されて固定されるとともにその前端側に光を入射可能な第１のシングルモード光ファイバと、第１のシングルモード光ファイバの後方側に回転不能に支持された第２のシングルモード光ファイバと、第１のシングルモード光ファイバと第２のシングルモード光ファイバとの間に介在した隙間及び光路矯正手段とを備え、前記光路矯正手段が、一方の前記シングルモード光ファイバから伝達される光を、拡大しコリメート化して前記隙間に通過させた後、他方の前記シングルモード光ファイバへ導くようにしたことを特徴とする。
【国際調査報告】
2014115360.tif 000011
2014115360.tif 000012
2014115360.tif 000013